(57)【要約】【課題】実装面を平滑に保つことが可能な電子部品を提供する。【解決手段】コンデンサ２と、金属フレーム端子３と、第１コア４と、第２コア５とを有する電子部品は、コンデンサ２の外部電極２Ｂと接合する端子６を更に有し、端子６は、第１コア４及び第２コア５に当接し、第１コア４及び第２コア５のコンデンサ２に対するずれを防止する各ずれ防止片６Ｂ２、６Ｃ２、６Ｄ２、６Ｅ２を有している。このような構成にすることにより、ノイズフィルタの実装面を平滑に保つことができ、端子６と基板のランドパターンとの接触不良を防止することができる。【選択図】図２
2005302830.tif 000002
【特許請求の範囲】
【請求項１】
第１貫通穴を有する第１コアと、
第２貫通穴を有する第２コアと、
該第１コアと該第２コアとの間に配置され、一対の外部電極を有するチップ部品と、
該第１貫通穴に貫通される第１脚部と、該第２貫通穴に貫通される第２脚部とを有し、該チップ部品の一方の該外部電極と接合する金属フレーム端子とを備える電子部品において、
該チップ部品の他方の該外部電極と接合する平面状の板部を有する端子を更に備え、
該端子は、該第１コア及び該第２コアに当接し、該第１コア及び該第２コアの該チップ部品に対するずれを防止するずれ防止片を有することを特徴とする電子部品。
【請求項２】
該第１脚部及び該第２脚部の先端部は、該板部と略同一平面上に位置することを特徴とする請求項１に記載の電子部品。
【請求項３】
該第１脚部及び該第２脚部の先端部は、互いに近づくように曲げられていることを特徴とする請求項２に記載の電子部品。
【請求項４】
該端子は、該第１コア及び該第２コアの該第１貫通穴及び該第２貫通穴が対向する方向と該一対の外部電極が対向する方向とに直交する方向に指向する一対の外面をかしめることによって該第１コア及び該第２コアを保持するかしめ片を有することを特徴とする請求項１に記載の電子部品。
【請求項５】
該かしめ片は、一方の該外面の該第１コア側に位置する第１かしめ片と、一方の該外面の該第２コア側に位置する第２かしめ片と、他方の該外面の該第１コア側に位置する第３かしめ片と、他方の該外面の該第２コア側に位置する第４かしめ片とにより構成され、
該ずれ防止片は、該第１かしめ片から該第１コアの該第２コアに対向する面に当接するように延設される第１ずれ防止片と、該第２かしめ片から該第２コアの該第１コアに対向する面に当接するように延設される第２ずれ防止片と、該第３かしめ片から該第１コアの該第２コアに対向する面に当接するように延設される第３ずれ防止片と、該第４かしめ片から該第２コアの該第１コアに対向する面に当接するように延設される第４ずれ防止片とにより構成され、
該第１脚部及び該第２脚部の先端部は、該板部と略同一平面上に位置し、互いに近づくように曲げられ、
該端子は、該チップ部品を保持するチップ部品保持片を有することを特徴とする請求項４に記載の電子部品。
【請求項６】
該端子は、該チップ部品を保持するチップ部品保持片を有することを特徴とする請求項１に記載の電子部品。
【請求項７】
該チップ部品は、コンデンサ又はバリスタであることを特徴とする請求項１に記載の電子部品。
【発明の詳細な説明】
【技術分野】
【０００１】
本発明は、実装面側においてチップ部品と接合する端子を有する電子部品に関する。
【背景技術】
【０００２】
従来から、表面実装が可能な電子部品の様々な形状が提案されている。例えば、チップコンデンサを、貫通穴を有する一対のコアによって挟み込み、金属フレーム端子の一対の貫通部を各貫通穴に貫通させて、各貫通穴から突き出た先端部を互いに離間する方向に曲げコアに当接させて表面実装可能な電子部品を提供している（例えば、特許文献１参照）。
【０００３】
【特許文献１】実開平４−５５８２７号公報
【発明の開示】
【発明が解決しようとする課題】
【０００４】
しかし、従来の電子部品では、金属フレーム端子の両端の先端部が互いに離間する方向に曲げられているため、一対のコアの実装面側には、それぞれチップコンデンサから離間する方向の応力が加わる。このため、一対のコアは、チップコンデンサに対して倒れこむように傾き、電子部品の実装面の平滑度が低下する。このような状態で電子部品をクリームはんだが塗られた基板上に実装すると、実装面が平滑でないため、一対の先端部若しくはチップコンデンサの電極において接触不良が発生することがあった。
【０００５】
そこで、本発明は、実装面を平滑に保つことが可能な電子部品を提供することを目的とする。
【課題を解決するための手段】
【０００６】
上記目的を達成するために、本発明は、第１貫通穴を有する第１コアと、第２貫通穴を有する第２コアと、該第１コアと該第２コアとの間に配置され、一対の外部電極を有するチップ部品と、該第１貫通穴に貫通される第１脚部と、該第２貫通穴に貫通される第２脚部とを有し、該チップ部品の一方の該外部電極と接合する金属フレーム端子とを備える電子部品において、該チップ部品の他方の該外部電極と接合する平面状の板部を有する端子を更に備え、該端子は、該第１コア及び該第２コアに当接し、該第１コア及び該第２コアの該チップ部品に対するずれを防止するずれ防止片を有する電子部品を提供している。
【０００７】
ここで、該第１脚部及び該第２脚部の先端部は、該板部と略同一平面上に位置することが好ましい。
【０００８】
更に、該第１脚部及び該第２脚部の先端部は、互いに近づくように曲げられていることが好ましい。
【０００９】
また、該端子は、該第１コア及び該第２コアの該第１貫通穴及び該第２貫通穴が対向する方向と該一対の外部電極が対向する方向とに直交する方向に指向する一対の外面をかしめることによって該第１コア及び該第２コアを保持するかしめ片を有することが好ましい。
【００１０】
そして、該かしめ片は、一方の該外面の該第１コア側に位置する第１かしめ片と、一方の該外面の該第２コア側に位置する第２かしめ片と、他方の該外面の該第１コア側に位置する第３かしめ片と、他方の該外面の該第２コア側に位置する第４かしめ片とにより構成され、該ずれ防止片は、該第１かしめ片から該第１コアの該第２コアに対向する面に当接するように延設される第１ずれ防止片と、該第２かしめ片から該第２コアの該第１コアに対向する面に当接するように延設される第２ずれ防止片と、該第３かしめ片から該第１コアの該第２コアに対向する面に当接するように延設される第３ずれ防止片と、該第４かしめ片から該第２コアの該第１コアに対向する面に当接するように延設される第４ずれ防止片とにより構成され、該第１脚部及び該第２脚部の先端部は、該板部と略同一平面上に位置し、互いに近づくように曲げられ、該端子は、該チップ部品を保持するチップ部品保持片を有することが好ましい。
【００１１】
また、該端子は、該チップ部品を保持するチップ部品保持片を有することが好ましい。
【００１２】
また、該チップ部品は、コンデンサ又はバリスタであることが好ましい
【発明の効果】
【００１３】
請求項１に記載の電子部品によれば、端子は、第１コア及び第２コアに当接し、第１コア及び第２コアのチップ部品に対するずれを防止するずれ防止片を有しているので、第１コア及び第２コアが、チップ部品側に倒れこむことはない。従って、電子部品の実装面を平滑に保つことができ、端子と基板のランドパターンとの接触不良を防止することができる。更に、端子を備えているので、電子部品の組立工程中において、チップ部品のずれを防止することができる。
【００１４】
請求項２に記載の電子部品によれば、第１脚部及び第２脚部の先端部は、板部と略同一平面上に位置しているので、電子部品の実装面の平滑度を向上させることができ、端子と基板のランドパターンとの接触不良を防止することができる。  
【００１５】
請求項３に記載の電子部品によれば、第１脚部及び第２脚部の先端部は、互いに近づくように曲げられているので、第１コア及び第２コアのチップ部品から離間する方向への倒れこみを防止することができる。
【００１６】
請求項４に記載の電子部品によれば、端子は、第１コア及び第２コアを保持するかしめ片を有するので、第１コア及び第２コアの倒れこみをより防止することができ、電子部品の実装面を平滑に保つことができる。
【００１７】
請求項５に記載の電子部品によれば、かしめ片は、第１かしめ片と、第２かしめ片と、第３かしめ片と、第４かしめ片とにより構成され、ずれ防止片は、第１ずれ防止片と、第２ずれ防止片と、第３ずれ防止片と、第４ずれ防止片とにより構成されるので、第１コア及び第２コアが、チップ部品側に倒れこむのを防止することができる。従って、電子部品の実装面を平滑に保つことができ、端子と基板のランドパターンとの接触不良を防止することができる。
【００１８】
また、第１脚部及び第２脚部の先端部は、板部と略同一平面上に位置し、互いに近づくように曲げられているので、電子部品の実装面の平滑度を向上させることができ、第１コア及び第２コアのチップ部品から離間する方向への倒れこみを防止することができ、端子と基板のランドパターンとの接触不良を防止することができる。  
【００１９】
更に、端子は、チップ部品を保持するチップ部品保持片を有するので、端子とチップ部品とのハンダ付けのための恒温槽内におけるリフロー時において、電子部品にコンベアの振動によりチップ部品のずれや脱落を防止することができる。
【００２０】
請求項６に記載の電子部品によれば、端子は、チップ部品を保持するチップ部品保持片を有するので、端子とチップ部品とのハンダ付けのための恒温槽内におけるリフロー時において、電子部品にコンベアの振動によりチップ部品のずれや脱落を防止することができる。
【発明を実施するための最良の形態】
【００２１】
本発明による電子部品を表面実装型のノイズフィルタに適用した実施の形態について図１乃至図３に基づき説明する。図１乃至図３に示すように、ノイズフィルタ１は、コンデンサ２と、金属フレーム端子３と、第１コア４と、第２コア５と、端子６とから構成される。第１コア４及び第２コア５は、フェライト又は複合フェライト等により構成される。
【００２２】
コンデンサ２は、略直方体の形状をなしその長手方向両端部に外部電極２Ａ、２Ｂを有している。金属フレーム端子３は、コンデンサ保有部３Ａと一対の脚部３Ｂを有する。コンデンサ保有部３Ａは、略矩形状の基部３Ａ１と、基部３Ａ１の互いに対向する２辺から略垂直に延びる一対の腕部３Ａ２と、基部３Ａ１の残りの互いに対向する２辺から略垂直に延び、当該２辺の対向する方向へのコンデンサ２の移動を規制する一対の第１コンデンサ保持片３Ａ３とから構成される。
【００２３】
また、一対の脚部３Ｂは、一対の腕部３Ａ２の端部に、腕部３Ａ２に直交し、かつ一対の腕部３Ａ２が対向する方向にそれぞれ延設されている。各脚部３Ｂは、後述する第１コア４の第１貫通穴４ａ及び第２コア５の第２貫通穴５ａに貫通する貫通部３Ｂ１と、後述する第４面４Ｄ及び第８面５Ｅ（図３）に対向するように延びる外縁部３Ｂ２と、各外縁部３Ｂ２の一端から互いに近づくように曲げられ、後述する第６−１面４Ｆ（図３）及び第６−２面５Ｆ（図３）に当接する先端部３Ｂ３とにより構成されている。各先端部３Ｂ３は、後述する端子６の板部６Ａと略同一平面上に位置している。そして、外部電極２Ａと基部３Ａ１とは、クリームはんだによりはんだ付けされる。
【００２４】
第１コア４は、第１−１面４Ａと、第２−１面４Ｂと、第３−１面４Ｃ（図３）と、第４面４Ｄと、第５面４Ｅ（図３）と、第６−１面４Ｆ（図３）とにより構成される。第１−１面４Ａは、第ａ１辺と第ａ１辺に略平行に延びる第ａ２辺とを有し、第２−１面４Ｂは、第ａ１辺と交差し第ａ１辺において第１角部θ１を構成する第１傾斜面４Ｂ１と、第１中央面４Ｂ２と、第１傾斜面４Ｂ１と逆方向に傾斜する第２傾斜面４Ｂ３とにより構成される。また、第１角部θ１は９０°未満に構成される。第３−１面４Ｃは、第２−１面４Ｂと同様の構造をしており、第ａ２辺と交差し第ａ２辺において第２角部θ２を構成する第３傾斜面４Ｃ１（図３）と、第２中央面４Ｃ２（図３）と、第４傾斜面４Ｃ３（図３）とにより構成される。また、第２角部θ２は９０°未満に構成される。
【００２５】
第４面４Ｄは、第１−１面４Ａと第２−１面４Ｂと第３−１面４Ｃとに交差しており、第５面４Ｅは、第１−１面４Ａと第２−１面４Ｂと第３−１面４Ｃとに交差し、第４面４Ｄに対向し、かつ略平行である。そして、第４面４Ｄ及び第５面４Ｅの略中央には、第４面４Ｄから第５Ａ面４Ｅへ貫通する第１貫通穴４ａが形成されており、金属フレーム端子３の貫通部３Ｂ１が貫通している。第６−１面４Ｆは、第ａ３辺と第ａ３辺に略平行に延びる第ａ４辺（図３）とを有し、第ａ３辺において、第６−１面４Ｆと第２−１面４Ｂとは、角度が９０°未満である第３角部θ３を構成し、第ａ４辺において、第６−１面４Ｆと第３−１面４Ｃとは、角度が９０°未満である第４角部θ４を構成している。
【００２６】
第２コア５は、第１−２面５Ａと、第２−２面５Ｂと、第３−２面５Ｃ（図３）と、第７面５Ｄと、第８面５Ｅ（図３）と、第６−２面５Ｆ（図３）とより構成される。第１−２面５Ａは、第ｂ１辺と第ｂ１辺に略平行に延びる第ｂ２辺とを有し、組み立てられた状態では、第１−１面４Ａと略同一平面上に規定されている。また、第ｂ１辺は、第ａ１辺と略同一直線上に、第ｂ２辺は、第ａ２辺と同一直線上に規定されている。
【００２７】
第２−２面５Ｂは、第ｂ１辺と交差し第ｂ１辺において第５角部θ５を構成する第５傾斜面５Ｂ１と、第２中央面５Ｂ２と、第５傾斜面５Ｂ１と逆方向に傾斜する第６傾斜面５Ｂ３とより構成される。組み立てられた状態では、第２−２面５Ｂは、第２−１面４Ｂと略同一平面上に規定されており、第５角部θ５は９０°未満に構成される。第３−２面５Ｃは、第２−２面５Ｂと同様の構造をしており、第ｂ２辺と交差し第ｂ２辺において第６角部θ６を構成する第７傾斜面５Ｃ１と、第４中央面５Ｃ２と、第８傾斜面５Ｃ３とにより構成される。組み立てられた状態では、第３−２面５Ｃは、第３−１面４Ｃと略同一平面上に規定されており、第６角部θ６は９０°未満に構成される。
【００２８】
第７面５Ｄは、第１−２面５Ａと第２−２面５Ｂと第３−２面５Ｃとに交差しており、第８面５Ｅは、第１−２面５Ａと第２−２面５Ｂと第３−２面５Ｃとに交差し、第７面５Ｄに対向している。そして、第７面５Ｄ及び第８面５Ｅの略中央には、第７面５Ｄから第８面５Ｅへ貫通する第２貫通穴５ａが形成されており、金属フレーム端子３の貫通部３Ｂ１が貫通している。
【００２９】
第６−２面５Ｆは、第ｂ３辺と第ｂ３辺に略平行に延びる第ｂ４辺（図３）とを有し、組み立てられた状態では、第６−１面４Ｆと略同一平面上に規定されている。また、第ｂ３辺は、第ａ３辺と略同一直線上に、第ｂ４辺は、第ａ４辺と略同一直線上に規定されている。第ｂ３辺において、第６−２面５Ｆと第２−２面５Ｂとは、角度が９０°未満である第７角部θ７を構成し、第ｂ４辺において、第６−２面５Ｆと第３−２面５Ｃとは、角度が９０°で未満である第８角部θ８を構成している。
【００３０】
端子６は、第ａ３辺及び第ｂ３辺に略平行な第ｃ１辺と第ｃ１辺に略平行に延びる第ｃ２辺とを有し、第６−１面４Ｆの一部、第６−２面５Ｆの一部及び外部電極２Ｂ全体に対向する板部６Ａを有している。端子６は、更に一方の第ｃ１辺から第２傾斜面４Ｂ３に対向するように延びる第１かしめ片部６Ｂ１と、他方の第ｃ１辺から第６傾斜面５Ｂ３に対向するように延びる第２かしめ片部６Ｃ１と、一方の第ｃ２辺から第４傾斜面４Ｃ１に対向するように延びる第３かしめ片部６Ｄ１と、他方の第ｃ２辺から第８傾斜面５Ｃ１に対向するように延びる第４かしめ片部６Ｅ１とを有している。
【００３１】
また、第１かしめ片部６Ｂ１から第５面４Ｅに対向するように第１ずれ防止片６Ｂ２が延設され、第２かしめ片部６Ｃ１から第７面５Ｄに対向するように第２ずれ防止片６Ｃ２が延設され、第３かしめ片部６Ｄ１から第５面４Ｅに対向するように第３ずれ防止片６Ｄ２が延設され、第４かしめ片部６Ｅ１から第７面５Ｄに対向するように第４ずれ防止片６Ｅ２が延設されている。
【００３２】
更に、板部６Ａの第１かしめ片部６Ｂ１と第２かしめ片部６Ｃ１との略中央、及び第３かしめ片部６Ｄ１と第４かしめ片部６Ｅ１との略中央には、第１かしめ片部６Ｂ１及び第３かしめ片部６Ｄ１が対向する方向へのコンデンサ２の移動を規制する一対の第２コンデンサ保持片６Ｆが、それぞれコンデンサ２に対向するように設けられている。
【００３３】
また、端子６は、第１かしめ片部６Ｂ１と第３かしめ片部６Ｄ１との第２傾斜面４Ｂ３及び第４傾斜面４Ｃ３へのかしめと、第２かしめ片部６Ｃ１と第４かしめ片部６Ｅ１との第６傾斜面５Ｂ３及び第８傾斜面５Ｃ３へのかしめにより、第１コア４及び第２コア５を保持する。また、外部電極２Ｂと板部６Ａとは、クリームはんだによりはんだ付けされる。そして、外部電極２Ａ及び基部３Ａ１、外部電極２Ｂ及び板部６Ａのクリームハンダによる接合は、恒温槽内において行われる。
【００３４】
上述のように、端子６は、各ずれ防止片６Ｂ２、６Ｃ２、６Ｄ２、６Ｅ２を備えているので、外部電極２Ｂ及び板部６Ａがクリームはんだにより接合するまでの間に、第１コア４及び第２コア５が、コンデンサ２側に倒れこむことはない。従って、ノイズフィルタ１の端子６側の面を平滑に保つことができ、端子６と基板のランドパターンとの接触不良を防止することができる。また、ノイズフィルタ１は、端子６を備えているので、ノイズフィルタ１の組立工程中において、コンデンサ２のずれを防止することができる。
【００３５】
更に、各先端部３Ｂ３は、互いに近づくように曲げられているので、第１コア４及び第２コア５のコンデンサ２から離間する方向への倒れこみを防止することができる。また、各先端部３Ｂ３は、端子６の板部６Ａと略同一平面上に位置しているので、ノイズフィルタ１の端子６側の面の平滑度を向上させることができ、端子６と基板のランドパターンとの接触不良を防止することができる。
【００３６】
また、端子６は、第１コア４及び第２コア５を保持する各かしめ片部６Ｂ１、６Ｃ１、６Ｄ１、６Ｅ１を有しているので、第１コア４及び第２コア５の倒れこみをより防止することができるので、ノイズフィルタ１の端子６側の面を平滑に保つことができる。
【００３７】
また、端子６は、一対の第２コンデンサ保持片６Ｆを有しているので、ハンダ付けのための恒温槽内におけるリフロー時において、ノイズフィルタ１の搬送中にコンベアの振動に起因したコンデンサ２の端子６に対するずれや脱落を防止することができる。
【００３８】
本発明によるノイズフィルタ１は、上述した実施の形態に限定されず、特許請求の範囲に記載した範囲で種々の変形や改良が可能である。例えば、ノイズフィルタ１は、コンデンサ２を備えていたが、これに限定されずバリスタのような容量性素子であれば良い。また、各先端部３Ｂ３は、各外縁部３Ｂ２の一端から互いに近づくように曲げられていたが、互いに離間するように曲げられていても良い。各ずれ防止片部６Ｂ２、６Ｃ２、６Ｄ２、６Ｅ２は、第５面４Ｅ又は第７面５Ｄに対向するように設けられたが、第４面４Ｄ又は第８面５Ｅに対向するように設けても良い。また、クリームはんだによる接合を、恒温槽において行ったが、温度プロファイルが設定できるリフロー炉において行っても良い。
【図面の簡単な説明】
【００３９】
【図１】本発明による電子部品をノイズフィルタに適用した実施の形態の斜視図。
【図２】本発明による実施の形態のノイズフィルタの分解斜視図。
【図３】本発明による実施の形態のノイズフィルタを図１の斜視側と反対側から見た斜視図。
【符号の説明】
【００４０】
１    ノイズフィルタ
２    チップ部品
２Ｂ、２Ａ    外部電極
３    金属フレーム端子
３Ｂ    脚部
３Ｂ３    先端部
４    第１コア
４ａ    第１貫通穴
５    第２コア
５ａ    第２貫通穴
６Ａ    板部
６    端子
６Ｂ１    第１かしめ片部
６Ｃ１    第２かしめ片部
６Ｄ１    第３かしめ片部
６Ｅ１    第４かしめ片部
６Ｂ２    第１ずれ防止片
６Ｃ２    第２ずれ防止片
６Ｄ２    第３ずれ防止片
６Ｅ２    第４ずれ防止片
６Ｆ    第２コンデンサ保持片
【図１】
2005302830.tif 000003
【図２】
2005302830.tif 000004
【図３】
2005302830.tif 000005